(57)【要約】【課題】帳票の角部に折れ曲がりがある場合の作業効率を向上すること。【解決手段】撮像装置１０は、ガイド部材２０を有する。ガイド部材２０は、帳票を載置する載置台１１の上方に載置台１１から所定の隙間を設けて配置される。帳票の載置位置は、帳票が突き当て部１２，１３に突き当てられることで決定される。ガイド部材２０は、この隙間に挿入され載置台１１に載置された帳票の角部に対応する位置に孔を有する。帳票を載置台１１とガイド部材２０との隙間に挿入して載置することで、帳票の角部の折れ曲がりが矯正されると共に、ガイド部材２０の孔から帳票の角部が露出する。【選択図】図１
2010177884.tif 000002
【特許請求の範囲】
【請求項１】
帳票を撮像する撮像装置であって、
帳票が載置される載置面の上方に前記載置面から所定の隙間を設けて配置され、前記隙間に挿入されて前記載置面上に載置された前記帳票の角部に対応する位置に孔が設けられたガイド部材を有することを特徴とする撮像装置。
【請求項２】
前記帳票の第１の辺が突き当てられることで、前記載置面上の第１の方向の前記帳票の載置位置を決定する第１の突き当て部と、
前記帳票の前記第１の辺と角をなす第２の辺が突き当てられることで、前記載置面上の第２の方向の前記帳票の載置位置を決定する第２の突き当て部と、
を更に有し、
前記ガイド部材は、前記第１の突き当て部と前記第２の突き当て部とに跨って着脱自在に設置される、
ことを特徴とする請求項１記載の撮像装置。
【請求項３】
前記ガイド部材の少なくとも前記載置面上を覆う箇所が、半透明部材により形成されることを特徴とする請求項１または２のいずれか１項に記載の撮像装置。
【請求項４】
前記半透明部材は、表面にシボ加工を施した透明部材であることを特徴とする請求項３記載の撮像装置。
【請求項５】
前記ガイド部材は、当該ガイド部材が配置された際に、前記帳票の挿入口となる当該ガイド部材の端部から前記帳票の挿入方向に向かうに従って、前記隙間が狭くなるよう形成されることを特徴とする請求項１乃至４のいずれか１項に記載の撮像装置。
【請求項６】
帳票が載置される載置面の上方に前記載置面から所定の隙間を設けて配置され、前記隙間に挿入されて前記載置面上に載置された前記帳票の角部に対応する位置に孔を有することを特徴とする帳票ガイド。
【発明の詳細な説明】
【技術分野】
【０００１】
本発明は、撮像装置および帳票ガイドに関し、特に帳票を撮像する撮像装置および撮像装置が備える帳票ガイドに関する。
【背景技術】
【０００２】
従来、帳票を撮像して、その画像を生成する撮像装置が利用されている。帳票の画像から、帳票に記入された情報（例えば、氏名や住所）をコンピュータの画像処理により読み取ることができる。
【０００３】
ここで、撮像装置には、ＣＣＤ（Charge Coupled Device）を用いるものがある。例えば、フラットベッド方式の撮像装置では、ガラス台に帳票を設置し、一次元に配置したＣＣＤまたはＣＣＤへ光を入射させる光源を走査して帳票を撮像する。また、二次元ＣＣＤカメラ方式の撮像装置では、二次元エリアを撮像するＣＣＤカメラで帳票を撮像する。
【０００４】
撮像時、いずれの方式の場合にも、所望の画像を得るためには帳票をＣＣＤの撮像対象範囲内に適正に設置する必要がある。
例えば、フラットベッド方式の撮像装置では、ガラス台などに帳票の設置位置を示した印や帳票の角部を当接させる位置決め部が設けられる。更に、位置決め後、帳票を押さえ部材によって押圧し、撮像時に帳票をカバーで覆う際の風圧などによる位置ずれを抑止する方法がある（例えば、特許文献１，２参照）。
【０００５】
また、二次元ＣＣＤカメラ方式の撮像装置では、帳票の角部を当接させてＣＣＤカメラに対する帳票の位置を決定する突き当て部が設けられる。更に、位置決め後、帳票の位置ブレがないことを自動的に判別して撮像を行う方法がある（例えば、特許文献３参照）。
【０００６】
以下では、このような二次元ＣＣＤカメラ方式の撮像装置に関して説明する。
図１０は、従来の撮像装置を示す図である。（Ａ）は斜視図、（Ｂ）は上面図である。撮像装置５０は、載置台５１、突き当て部５２，５３、支持部５４および撮像部５５を有する。
【０００７】
載置台５１は、帳票を載置するための台である。
突き当て部５２，５３は、帳票の端部を突き当てて撮像部５５に対する帳票の位置決めを行うための部材である。帳票の角部を、突き当て部５２，５３が接合する角部に当接させることで、帳票を撮像部５５に対して所定の位置に載置することができる。
【０００８】
支持部５４は、撮像部５５を支持する部材である。
撮像部５５は、支持部５４に支持されて載置台５１の上方に配置される。撮像部５５は、帳票を撮像して、その画像を生成する。撮像部５５は生成した画像を図示しないコンピュータに送信する。
【０００９】
撮像装置５０では、載置台５１に載置した帳票を差し替えれば、対象の帳票の画像を次々に取得でき、フラットベッド方式の撮像装置のようにカバーを開閉して帳票を出し入れする必要がない。このため、撮像装置５０はフラットベッド方式に比べて画像取り込みの作業効率が良く、多量の帳票を扱う金融機関の窓口業務などで利用されている。
【先行技術文献】
【特許文献】
【００１０】
【特許文献１】特開平０６−１３０５１０号公報
【特許文献２】特開２０００−１９４０８０号公報
【特許文献３】特開２００１−０７８１７６号公報
【発明の概要】
【発明が解決しようとする課題】
【００１１】
ところで、帳票の角部は、折り曲げられていたり、カールしていたりする場合がある。例えば、複数枚の記入済み帳票を束ねたとき、束の下にある帳票の内容を閲覧するために、オペレータが束の上にある帳票の角部を折り曲げることがある。
【００１２】
しかし、撮像装置５０では、帳票の角部が折れ曲がっていると、角部が突き当て部５２，５３に乗り上げてしまい正しく位置決めができないことがあるという問題がある。
また、帳票に記入された情報を画像処理で読み取る場合、読み取り対象の情報を画像上の位置により特定することが考えられる。例えば、帳票に顧客の氏名が記入される箇所を画像上の所定の座標範囲として予め設定する。そして、取得した画像から特定される画像上の原点や帳票の傾きに基づいて該当の座標範囲を参照し、参照した内容を顧客の氏名として読み取る。この場合、画像上の原点は、突き当て部５２，５３に当接させた角部の頂点とすることが考えられる。しかし、撮像装置５０では、帳票の折れ曲がりにより帳票の角部の頂点を適正に特定できない可能性もある。この場合、帳票に記入された情報を適正に参照できないという問題がある。
【００１３】
このような場合、オペレータは角部の折れ曲がり等を手作業で矯正した後で撮像を行う必要があり作業効率が悪い。
本発明はこのような点に鑑みてなされたものであり、帳票の角部に折れ曲がりがある場合の作業効率を向上する撮像装置および帳票ガイドを提供することを目的とする。
【課題を解決するための手段】
【００１４】
上記課題を解決するために、帳票を撮像する撮像装置が提供される。この撮像装置は、帳票が載置される載置面の上方に載置面から所定の隙間を設けて配置され、この隙間に挿入されて載置面上に載置された帳票の角部に対応する位置に孔が設けられたガイド部材を有する。
【００１５】
このような撮像装置によれば、載置面とガイド部材との間に設けられた所定の隙間に帳票が挿入されて載置面上に帳票が載置されると、帳票の角部に対応する位置に設けられたガイド部材の孔から帳票の角部が露出する。
【００１６】
また、上記課題を解決するために、帳票ガイドが提供される。この帳票ガイドは、帳票が載置される載置面の上方に載置面から所定の隙間を設けて配置され、この隙間に挿入されて載置面上に載置された帳票の角部に対応する位置に孔を有する。
【００１７】
このような帳票ガイドによれば、載置面とガイド部材との間に設けられた所定の隙間に帳票が挿入されて載置面上に帳票が載置されると、帳票の角部に対応する位置に設けられた孔から帳票の角部が露出する。
【発明の効果】
【００１８】
上記撮像装置および帳票ガイドによれば、帳票の角部に折れ曲がりがある場合の作業効率を向上できる。
【図面の簡単な説明】
【００１９】
【図１】撮像装置の斜視図である。
【図２】撮像装置の上面図である。
【図３】ガイド部材の斜視図である。
【図４】ガイド部材の上面図である。
【図５】ガイド部材の断面図である。
【図６】撮像装置に帳票を載置した状態を示す図である。
【図７】撮像装置に帳票を載置した状態のガイド部材の拡大図である。
【図８】ガイド部材の変形例を示す第１の図である。
【図９】ガイド部材の変形例を示す第２の図である。
【図１０】従来の撮像装置を示す図である。
【発明を実施するための形態】
【００２０】
以下、本実施の形態を図面を参照して詳細に説明する。
図１は、撮像装置の斜視図である。撮像装置１０は、載置台１１、突き当て部１２，１３、支持部１４、撮像部１５およびガイド部材２０を有する。
【００２１】
載置台１１は、帳票を載置するための台である。
突き当て部１２，１３は、帳票の端部を突き当てて撮像部１５に対する帳票の位置決めを行うための部材である。このように位置決めがされると、帳票の１つの角部が、突き当て部１２，１３が接合する突き当て角部Ｃ１に当接されるよう配置される。そして、帳票を撮像部１５の撮像対象範囲内の所定の位置に載置することができる。
【００２２】
支持部１４は、撮像部１５を支持する部材である。
撮像部１５は、支持部１４に支持されて載置台１１の上方に配置される。撮像部１５は、帳票を撮像して、その画像を生成する。
【００２３】
ガイド部材２０は、載置台１１の上方に載置台１１の載置面から所定の隙間を設けて配置される。ガイド部材２０は、突き当て角部Ｃ１に配置される。例えば、突き当て部１２，１３の上から被せるように設置され固定される。また、ガイド部材２０は、この隙間に挿入されて載置面上に載置された帳票の角部に対応する位置に孔が設けられる。
【００２４】
図２は、撮像装置の上面図である。撮像部１５は、載置台１１の上方であり、その載置面を上から眺めたほぼ中央に配置される。撮像部１５は生成した画像を図示しないコンピュータに送信する。撮像部１５は、例えば、二次元の画像を取得可能なＣＣＤカメラである。撮像部１５は、例えば、載置面全体を一度に撮像して画像を生成する。また、撮像部１５は、複数のタイミングで載置面の異なる領域を撮像し、これにより得た画像を結合して１つの画像とするものでもよい。
【００２５】
コンピュータでは、得られた画像に基づいて、帳票に記入された情報を取得することができる。その際、コンピュータでは、突き当て部１２，１３に帳票を当接させて位置決めした際の、突き当て角部Ｃ１に対応する帳票の角部の頂点を検出する。そして、検出した頂点を画像上の原点とする。また、画像から帳票の辺の傾きを検出する。このようにすると、検出した画像上の原点と傾きとに基づき、帳票に記入された情報を画像上の座標位置により特定して取得することができる。載置台１１、突き当て部１２，１３および突き当て部１２，１３に被さるガイド部材２０の本体部は、例えば黒色に着色され、白色の帳票に対するこのような画像処理を可能としている。上述した画像処理の方法としては、例えば“特開２００１−０７８１７６号公報”記載の方法を適用することができる。
【００２６】
図３は、ガイド部材の斜視図である。ガイド部材２０は、本体部２１、橋架部２２、孔２３および固定部２４，２５を有する。
本体部２１は、ガイド部材２０の本体である。本体部２１は、突き当て部１２，１３に対して突き当て角部Ｃ１の位置に設置できるよう略Ｌ字状に形成される。
【００２７】
橋架部２２は、略Ｌ字状に形成された本体部２１の両端部を橋架けする。橋架部２２は、ガイド部材２０が撮像装置１０に設置された際に、載置台１１の上方に配置されることになる。橋架部２２の下方に帳票の角部を挿入することで、帳票に折れ曲がりがあったとしても、橋架部２２によってその折れ曲がりが矯正される。
【００２８】
橋架部２２は、透明体または半透明体により形成することが望ましい。このようにすると、帳票の角部の挿入時に、帳票の角部の現在位置を目視で確認できる。また、橋架部２２は、透明体で形成される場合には、そのプリズム効果を抑えるため、表面にシボ加工が施されていることがより望ましい。これにより、橋架部２２の画像内への写り込みを防止できる。橋架部２２の材料には、例えばアクリル樹脂が考えられる。
【００２９】
孔２３は、本体部２１の上方（ガイド部材２０を突き当て部１２，１３に設置した際の鉛直上側）から下方に向かって貫通するように設けられる。孔２３は、例えば、本体部２１に切り欠き加工を施して形成される。
【００３０】
固定部２４，２５は、突き当て部１２，１３にガイド部材２０を固定するためのファスナである。固定部２４，２５は、図３で示す本体部２１の表面上方に向かって隆起している。固定部２４，２５は、本体部２１の裏面側では、その隆起に対応して凹部が形成されている。突き当て部１２，１３には、固定部２４，２５の凹部に嵌合する凸部が設けられる。固定部２４，２５の凹部と突き当て部１２，１３の凸部とを嵌合させることで、ガイド部材２０を突き当て角部Ｃ１の位置に固定することができる。
【００３１】
図４は、ガイド部材の上面図である。孔２３は、直角三角形状に形成される。このとき、直角三角形の斜辺以外の各辺が、本体部２１のＬ字の各辺と平行となるよう形成される。ただし、孔２３の形状は、帳票の設置時に、帳票の角部が撮像部１５に対して露出する構成であれば、他の形状であっても構わない。
【００３２】
孔２３の寸法や橋架部２２の寸法は、読み取り対象とする帳票内の情報の記入領域の配置によって決定される。例えば、突き当て角部Ｃ１に対応する角部の頂点から１６ｍｍ以内に記入エリアの存在しない帳票に関しては、次のように寸法を決定することが考えられる。孔２３の直角三角形の一辺の長さを、例えば１７ｍｍとする。また、もう一方の辺の長さを、例えば１５ｍｍとする。更に、橋架部２２の帳票の挿入方向の幅を、例えば１３ｍｍとする。
【００３３】
ここで、帳票の傾きを算出する際に、帳票のこれらの各辺の検出が必要となる。このため、各辺がガイド部材２０により覆われると、各辺の検出精度を悪化させる原因となる。しかし、上述のように帳票上のガイド部材２０で覆われる面積を帳票内の情報の記入領域の配置に応じて可能な限り小さくとることで、各辺の検出精度への影響を最小限に抑えることができる。
【００３４】
図５は、ガイド部材の断面図である。（Ａ）は図４におけるＸＸ断面、（Ｂ）は図４におけるＹＹ断面を示している。なお、図５では、ガイド部材２０を撮像装置１０に設置した様子が分かり易いよう載置台１１および突き当て部１２も示している。
【００３５】
本体部２１は、突き当て部１２，１３に傾斜が設けられている場合には、その傾斜に合うように傾斜が設けられる。例えば、図５に示す例では、突き当て部１２が帳票の載置面側に向かって下方に傾斜している。このため、本体部２１もその傾斜に合うように傾斜させる。そして、本体部２１は、橋架部２２と載置台１１との間の隙間が、所定の間隔となるように形成される。隙間の間隔は、（Ａ）に示すように例えば３ｍｍとする。この隙間に、帳票を挿入する。
【００３６】
なお、橋架部２２は、帳票の挿入がスムーズに行えるように、帳票の挿入口では隙間の間隔を３ｍｍより大きくする。具体的には、橋架部２２の帳票の挿入口となる側の断面が挿入方向に従って幅広となる（すなわち、挿入方向に従って隙間の幅が狭くなる）ように形成する。ただし、断面を長方形として、隙間の幅を均一としてもよい。
【００３７】
ガイド部材２０は、（Ｂ）に示すように、固定部２４の凹部が突き当て部１２に設けられた凸部と嵌合して固定される。このとき、固定部２５の凹部と突き当て部１３の凸部とに関しても同様に嵌合した状態となる。なお、ガイド部材２０は、突き当て部１２，１３に対して着脱自在とすると、必要に応じて後付けすることも可能となり利便性が良い。
【００３８】
図６は、撮像装置に帳票を載置した状態を示す図である。（Ａ）は斜視図、（Ｂ）は上面図である。帳票３０は、顧客の情報が記入された紙媒体である。帳票３０は、載置台１１の載置面上に載置される。このとき、帳票３０の帳票角部Ｃ２を載置台１１とガイド部材２０との隙間に挿入する。そして、帳票角部Ｃ２を突き当て角部Ｃ１の内側に当接させることで、帳票３０の撮像部１５に対する位置が決められる。
【００３９】
図７は、撮像装置に帳票を載置した状態のガイド部材の拡大図である。図７には、突き当て部１２，１３に設けられた帳票の乗り上げ防止用の突起部１２ａ，１３ａも示されている。ガイド部材２０は、突起部１２ａ，１３ａと干渉しないよう形成される。
【００４０】
この撮像装置１０によれば、載置台１１と橋架部２２との隙間に帳票３０を挿入することで、帳票角部Ｃ２に折れ曲がりやカールがあったとしても、帳票３０を撮像部１５に対して所定の位置に載置することができる。具体的には、図７の挿入方向に帳票３０を上記の隙間に挿入すると、帳票角部Ｃ２が橋架部２２とが干渉して折れ曲がりやカールが矯正される。これにより、挿入方向への帳票３０の突き当て部１２，１３への乗り上げが防止される。また、このようにして位置決めされた結果、ガイド部材２０の孔２３から帳票角部Ｃ２が露出する。
【００４１】
このため、オペレータは帳票角部Ｃ２の折れ曲がりを手作業で矯正することなく、情報読み取りを行う画像処理のための適正な画像を得ることができる。すなわち、取得した画像における原点の検出を正しく行える。また、ガイド部材２０は帳票角部Ｃ２を形成する各辺の一部範囲のみを覆うので、帳票の傾き検出の精度を損なうことがない。
【００４２】
このようにして、帳票角部Ｃ２に折れ曲がりがある場合の作業効率を向上することができる。
図８は、ガイド部材の変形例を示す第１の図である。（Ａ）において、ガイド部材２０ａは橋架部２２ａを有する。ガイド部材２０ａの他の構成に関しては、図３に示した構成と同一である。なお、橋架部２２ａは、橋架部２２に対応するものである。橋架部２２ａは、帳票３０の挿入口側がガイド部材２０ａの外側に向かって弧を描くように形成される。
【００４３】
（Ｂ）において、ガイド部材２０ｂは、橋架部２２ｂを有する。ガイド部材２０ｂの他の構成に関しては、図３に示した構成と同一である。なお、橋架部２２ａは、橋架部２２に対応するものである。橋架部２２ｂは、帳票３０の挿入口側がガイド部材２０ｂの内側に向かって弧を描くように形成される。
【００４４】
このように橋架部２２ａ，２２ｂを用いても、橋架部２２を用いた場合と同様の効果を得ることができる。
図９は、ガイド部材の変形例を示す第２の図である。（Ａ）はガイド部材２０ｃの斜視図、（Ｂ）はガイド部材２０ｃの上面図を示している。ガイド部材２０ｃは、橋架部２２ｃを有する。ガイド部材２０ｃの他の構成に関しては、図３に示した構成と同一である。なお、橋架部２２ｃは、橋架部２２に対応するものである。橋架部２２ｃは、帳票３０の挿入口側が上方に向かって立ち上がるように形成される。橋架部２２ｃでは、帳票角部Ｃ２を受けて橋架部２２ｃの下方に誘導するための部材が大きく設けられる。このため、ガイド部材２０，２０ａ，２０ｂを用いる場合に比べ、帳票角部Ｃ２が折れ曲がっている場合の帳票３０の挿入を容易に行うことができる。
【００４５】
以上、本発明の撮像装置および帳票ガイドを図示の実施の形態に基づいて説明したが、これらに限定されるものではなく、各部の構成は同様の機能を有する任意の構成のものに置き換えることができる。また、他の任意の構成物や工程が付加されてもよい。また、本発明は前述した実施の形態のうちの任意の２以上の構成（特徴）を組み合わせたものであってもよい。
【符号の説明】
【００４６】
１０  撮像装置
１１  載置台
１２，１３  突き当て部
１４  支持部
１５  撮像部
２０  ガイド部材
２１  本体部
２２  橋架部
２３  孔
２４，２５  固定部
３０  帳票
Ｃ１  突き当て角部
Ｃ２  帳票角部
【図１】
2010177884.tif 000003
【図２】
2010177884.tif 000004
【図３】
2010177884.tif 000005
【図４】
2010177884.tif 000006
【図５】
2010177884.tif 000007
【図６】
2010177884.tif 000008
【図７】
2010177884.tif 000009
【図８】
2010177884.tif 000010
【図９】
2010177884.tif 000011
【図１０】
2010177884.tif 000012